(57)【要約】【課題】対向する側壁に取っ手孔が形成された梱包箱において、両手で抱えやすく、重量のある梱包箱を持ち上げるときでも腰に大きな負担のかからないようにする。【解決手段】取っ手孔を、水平方向に対して傾斜をもった長孔とし、側壁11b,11dの幅方向略中央を中心として対称に形成する。両手で抱えたときにより持ちやすくする観点から、取っ手孔の形状は、側壁11b,11dの幅方向略中央に向かって上方に傾斜した形状とするのが好ましい。また取っ手孔から梱包箱内に異物が混入するのを抑える観点から、取っ手孔が、切り込み又はミシン目で外周の少なくとも一部が形成された折り曲げ片2a,2b,3a,3bを折り曲げて形成されるものであるのが好ましい。【選択図】図１
2008201458.tif 000002
【特許請求の範囲】
【請求項１】
対向する側壁に２組の取っ手孔が形成された梱包箱であって、
前記取っ手孔が、水平方向に対して傾斜をもった長孔であって、前記側壁の幅方向略中央を中心として対称に形成されていることを特徴とする梱包箱。
【請求項２】
前記取っ手孔が、側壁の幅方向略中央に向かって上方に傾斜した形状である請求項１記載の梱包箱。
【請求項３】
前記取っ手孔が、切り込み又はミシン目で外周の少なくとも一部が形成された折り曲げ片を折り曲げて形成されるものである請求項１又は２記載の梱包箱。
【発明の詳細な説明】
【技術分野】
【０００１】
本発明は梱包箱に関し、より詳細には、対向する側壁に取っ手孔が形成された梱包箱に関するものである。
【背景技術】
【０００２】
図６に示すように、これまでの梱包箱１’の多くには、対向する側壁１１ｂ，１１ｄの略中央部に一組の長孔形状の取っ手孔６が形成され、この取っ手孔６に手を引っ掛けて梱包箱１’を持ち上げ運んでいた。しかしながら、梱包後の梱包箱の重量が軽い場合はともかく、１０ｋｇ程度の一人で持てる範囲の重量で、抱え込むような大きさの梱包箱の場合、このような梱包箱を持ち上げようとすると、図７に示すように、身体を”く”の字に折り曲げて両手を鉛直方向に下ろした状態で、梱包箱１’を持ち上げるので背筋力を始めとする腰の筋肉および手首に大きな負担が掛かっていた。そして負担が大きすぎるといわゆるぎっくり腰などになることがあった。
【０００３】
ところが梱包箱に関する出願について本出願人が調べた限りでは、片手で提げやすくするといった観点からの提案はこれまでになされているものの（例えば特許文献１など）、ある程度の重量の梱包箱を両手で抱えやすくするという観点からの提案は見られなかった。
【特許文献１】特開２０００−３５１１６６号公報
【発明の開示】
【発明が解決しようとする課題】
【０００４】
本発明はこのような問題に鑑みてなされたものであり、その目的とするところは、両手で抱えやすく、重量のある梱包箱を持ち上げるときでも腰に大きな負担のかからない梱包箱を提供することにある。
【０００５】
また本発明の目的は、複数人でも持ち上げやすく、また運びやすく、さらにはいずれの方向からも持ち上げられる梱包箱を提供することにある。
【０００６】
さらに本発明の目的は、取っ手孔から梱包箱内に異物が混入することを抑えることにある。
【課題を解決するための手段】
【０００７】
本発明によれば、対向する側壁に２組の取っ手孔が形成された梱包箱であって、前記取っ手孔が、水平方向に対して傾斜をもった長孔であって、側壁の幅方向略中央を中心として対称に形成されていることを特徴とする梱包箱が提供される。
【０００８】
ここで、両手で抱えたときに一層持ちやすくする観点から、前記取っ手孔の形状は、側壁の幅方向略中央に向かって上方に傾斜した形状であるのが好ましい。
【０００９】
また取っ手孔から梱包箱内に異物が混入するのを抑える観点から、前記取っ手孔が、切り込み又はミシン目で外周の少なくとも一部が形成された折り曲げ片を折り曲げて形成されるものであるのが好ましい。
【発明の効果】
【００１０】
本発明の梱包箱では、２組の取っ手孔がそれぞれ水平方向に対して傾斜をもった長孔であるので、身体を”く”の字に曲げることなく両手で抱えて持ち上げることができるようになる。これにより、腰や手首に大きな負担が掛からなくなる。また取っ手孔が、側壁の幅方向略中央を中心として対称に形成されているので、一人で持ち上げる場合にはどちら側からでも持つことが可能で、また二人で持つことも可能となる。
【００１１】
また前記取っ手孔の形状を側壁の幅方向略中央に向かって上方に傾斜した形状とすると、梱包箱を両手で抱えたときに一層持ちやすくなる。
【００１２】
さらに取っ手孔が、切り込み又はミシン目で外周の少なくとも一部が形成された折り曲げ片を折り曲げて形成するものであると、取っ手孔が未使用の場合は折り曲げ片で取っ手孔が封鎖されているので、梱包箱内に外部から異物が混入するのが防止できる。また必要なときに折り曲げ片を折り曲げることによって取っ手孔が簡単に形成できるようになる。
【発明を実施するための最良の形態】
【００１３】
以下、本発明に係る梱包箱について図に基づいて説明するが、本発明はこれらの実施形態に何ら限定されるものではない。
【００１４】
図１に、本発明に係る梱包箱の一実施形態を示す斜視図を示し、図２に図１の梱包箱１の展開図を示す。図２に示すように、この図の梱包箱１は、４つの側壁１１ａ，１１ｂ，１１ｃ，１１ｄが折り曲げ線７１ａ，７１ｂ，７１ｃを介して連続して形成されている。そして側壁１１ａの側辺には糊代片１０が折り曲げ線７１ｄを介して形成されている。また各側壁１１ａ，１１ｂ，１１ｃ，１１ｄの上端縁にはそれぞれ上フラップ１２ａ，１２ｂ，１２ｃ，１２ｄが折り曲げ線７２ａ，７２ｂ，７２ｃ，７２ｄを介して連設され、同様に各側壁１１ａ，１１ｂ，１１ｃ，１１ｄの下端縁にはそれぞれ下フラップ１３ａ，１３ｂ，１３ｃ，１３ｄが折り曲げ線７３ａ，７３ｂ，７３ｃ，７３ｄを介して連設されている。なお、上フラップ１２ａ，１２ｃ及び下フラップ１３ａ，１３ｃの上辺および下辺の側壁１１ａ，１１ｃからの長さは、側壁１１ｂ，１１ｄの横幅Ｌ（図３に図示）の略半分とされている。
【００１５】
組み立てたときに対向する側壁１１ｂ，１１ｄには、折り曲げ片２ａ，２ｂと折り曲げ片３ａ，３ｂが側壁１１ｂ，１１ｄと一体に形成されている。図３に、これらの折り曲げ片の具体的構成を示す。なお、折り曲げ片２ａ，２ｂと折り曲げ片３ａ，３ｂとは同一形状であるので、代表して折り曲げ片２ａ，２ｂについて説明する。図３に示すように、折り曲げ片２ａ，２ｂの合体形状は逆ハート型であり、逆ハート型の左右中央がちょうど側壁１１ｂの幅方向中央に一致している。すなわち、折り曲げ片２ａ，２ｂは側壁１１ｂの幅方向中央を中心として左右対称形状となしている。そして、折り曲げ片２ａ，２ｂは水平方向に対して傾斜角度θを有している。傾斜角度θに特に限定はなく、収納する被梱包物の重量や梱包箱の大きさなどから適宜決定すればよいが、一般に３０°〜６０°の範囲が好ましい。
【００１６】
折り曲げ片２ａ，２ｂの上辺は折り曲げ線２１ａ，２１ｂで形成され、折り曲げ片２ａ，２ｂのそれ以外の外周はミシン目２０，２２ａ，２２ｂで形成されている。もちろん、折り曲げ線２１ａ，２１ｂをミシン目に代える、あるいはミシン目２０，２２ａ，２２ｂを切り込みに代える、さらには折り曲げ片２ａ，２ｂの外周のすべてをミシン目としても構わない。折り曲げ片２ａ，２ｂの外周の加工状態は梱包箱の材質などから適宜決定すればよい。
【００１７】
このような構成の梱包箱１の組み立てはまず、糊代片１０が側壁１１ｄの側辺に固着されて立体形状とされる。そして、向かい合う下フラップ１３ｂ，１３ｄが側壁１１ｂ，１１ｄに対して略垂直に内方へ折り曲げられる。次に、下フラップ１３ｂ，１３ｄに重ねて下フラップ１３ａ，１３ｃが同様に側壁１１ａ，１１ｃに対して略垂直に内方へ折り曲げられる。このとき、前述のように、下フラップ１３ａ，１３ｃの下辺の側壁１１ａ，１１ｃからの長さは、側壁１１ｂ，１１ｄの横幅の略半分とされているので、下フラップ１３ａ，１３ｃを内方に折り曲げると、下フラップ１３ａ，１３ｃの下辺同士が接触する。そして、下フラップ１３ａ，１３ｃの接触部分を覆うように粘着テープが貼り付けられて梱包箱の底壁が形成される。もちろん下フラップ１３ａ，１３ｃの接合をステープルなどを用いても構わない。このようにして梱包箱の底壁が形成された状態が図１の斜視図である
【００１８】
図１に示す状態で、梱包箱内に被梱包物が収容されると、上フラップ１２ｂ，１２ｄが側壁１１ｂ，１１ｄに対して略垂直に内方へ折り曲げられた後、同様に上フラップ１２ｂ，１２ｄに重ねて上フラップ１２ａ，１２ｃが側壁１１ａ，１１ｃに対して略垂直に内方へ折り曲げられる。このとき、前述のように、上フラップ１２ａ，１２ｃの上辺の側壁１１ａ，１１ｃからの長さは、側壁１１ｂ，１１ｄの横幅の略半分とされているので、上フラップ１２ａ，１２ｃを内方に折り曲げるとの上辺同士が接触する。そして、上フラップ１２ａ，１２ｃの接触部分を覆うように粘着テープが貼り付けられて一連の梱包処理が完了する。
【００１９】
梱包処理が完了した梱包箱を両手で抱えて持ち上げて運ぶ場合には、対向する側壁１１ｂ，１１ｄにそれぞれ形成された、対向する２組の折り曲げ片２ａ，２ｂ，３ａ，３ｂの一方を折り曲げて取っ手孔を形成し、取っ手孔に指を差し入れて梱包箱を持ち上げ運べばよい。具体的には、図４に示すように、必要とする取っ手孔５ｂを塞いでいる折り曲げ片３ｂに外方から内方に向かって外力を加える。折り曲げ片３ｂの外周はミシン目３２ｂと折り曲げ線３１ｂとで形成されているので、加えられた外力によってミシン目３２ｂが破断して、連続した切り込みとなり、折り曲げ線３１ｂを境に折り曲げ片３ｂが梱包箱内に折り曲げられる。これによって取っ手孔５ｂが形成される。このとき他方の折り曲げ片３ａは依然として側壁と一体をなしている。
【００２０】
なお、段ボールなどの材料原板から展開状態の梱包箱を打ち抜き形成する際に、取っ手孔も同時に打ち抜き形成してももちろん構わないが、梱包箱の組み立て後、取っ手孔から梱包箱内に異物が混入するおそれがある。この点、前述の構成のように、取っ手孔５ｂが必要なときに、折り曲げ片３ｂを折り曲げて取っ手孔５ｂを形成するようにすれば、取っ手孔５ｂから梱包箱内に異物が混入するのを防止できるので望ましい。
【００２１】
図５に、本発明に係る梱包箱の他の実施形態を示す斜視図を示す。図５の梱包箱が、前述の実施形態の梱包箱と異なる点は、取っ手孔４ａ，４ｂが離隔して形成されている点にある。すなわち、取っ手孔４ａ，４ｂは、側壁１１ｂの幅方向中央を中心として左右対称で離隔した位置に形成されている。このように取っ手孔４ａ，４ｂが離隔して形成されていると、二人が向かい合う形で梱包箱を持ち上げ運ぶことができるようになるので、梱包箱が一人では持てない場合に特に有用となる。取っ手孔４ａ，４ｂの間隔は、梱包箱の材質や被梱包物の重さなどから適宜決定すればよい。
【００２２】
また図５の梱包箱では折り曲げ片が図示されていないが、前記実施形態と同様に異物混入防止の観点から、折り曲げ片を折り曲げることによって取っ手孔を形成するようにするのが好ましい。
【００２３】
以上説明した実施形態では、対向する一組の側壁に２組の取っ手孔を設けていたが、対向する二組の側壁にそれぞれ２組の取っ手孔を設けてももちろん構わない。また本発明の梱包箱は側壁が４つのものに限定されるものではなく、より多くの側壁を有するものであっても構わない。
【図面の簡単な説明】
【００２４】
【図１】本発明に係る梱包箱の一例を示す斜視図である。
【図２】図１の梱包箱の展開図である。
【図３】側壁に形成される折り曲げ片の説明図である。
【図４】折り曲げ片を折り曲げて取っ手孔を形成するときの説明図である。
【図５】本発明に係る梱包箱の他の例を示す斜視図である。
【図６】従来の梱包箱を示す斜視図である。
【図７】図６の梱包箱を人が持ち上げる際の状態図である。
【符号の説明】
【００２５】
１    梱包箱
２ａ，２ｂ    折り曲げ片
３ａ，３ｂ    折り曲げ片
５ａ    取っ手孔
１１ａ，１１ｂ，１１ｃ，１１ｄ    側壁
２０    ミシン目
２１ａ，２１ｂ    折り曲げ線
２２ａ，２２ｂ    ミシン目
【図１】
2008201458.tif 000003
【図２】
2008201458.tif 000004
【図３】
2008201458.tif 000005
【図４】
2008201458.tif 000006
【図５】
2008201458.tif 000007
【図６】
2008201458.tif 000008
【図７】
2008201458.tif 000009